(57)【要約】【課題】  座部の下降に伴ってあぶみの輪部が床面等に当たっても、あぶみが破損するおそれがない揺動型運動装置を提供する。【解決手段】  揺動型運動装置１０において、あぶみ１５の吊下げ部１５ａの上端と下端との間を１箇所以上で分割するとともに、この分割箇所を前後回動可能に連結することで、乗り降りのために、座部１１を上昇位置Ｕから下降位置Ｄに下降させた時に、あぶみ１５の輪部１５ｂが床面２０等に当たっても、２箇所以上の前後回動部分（上ヒンジピン１４と下ヒンジピン１５ｆ）で吊下げ部１５ａ（上吊下げ部１５ｃと下吊下げ部１５ｄ）が折れ曲がりやすいので、あぶみ１５が破損するおそれがなくなる。【選択図】      図３
2006230531.tif 000002
【特許請求の範囲】
【請求項１】
使用者が跨って着座可能な座部と、この座部を揺動運動させる運動機構と、前記座部の高さを調節する昇降機構と、前記座部の左右位置の上ヒンジ部材に吊下げ部の上端が前後回動可能に吊下げられ、この吊下げ部の下端に使用者が足先を掛ける輪部を有するあぶみとを備えた揺動型運動装置において、
前記吊下げ部の上端と下端との間を１箇所以上で分割するとともに、この分割箇所を前後回動可能に連結したことを特徴とする揺動型運動装置。
【請求項２】
前記座部の昇降方向に対して、前記各前後回動の中心を結ぶ方向に傾斜角度を持たせたことを特徴とする請求項１に記載の揺動型運動装置。
【請求項３】
前記あぶみの輪部の底部に、床面に対して傾斜する傾斜面を形成したことを特徴とする請求項１または２に記載の揺動型運動装置。
【発明の詳細な説明】
【技術分野】
【０００１】
本発明は、座部を揺動運動させることで、座部に着座した使用者に運動負荷を付与する揺動型運動装置に関するものである。
【背景技術】
【０００２】
前記のような揺動型運動装置は、子供から老人まで利用可能な手軽な運動器具として、当初のスポーツクラブから、一般家庭へと普及してきている。
【０００３】
このような揺動型運動装置としては、例えば図６（ａ）に示すように、運動機構１に設けた鞍状の座部２に使用者Ｍが跨って着座するとともに、この座部２の左右位置に吊下げたあぶみ３の輪部３ａに使用者Ｍが足先を掛けた状態おいて、運動機構１で座部２を揺動運動させるようにしたものがある（例えば、特許文献１参照）。
【特許文献１】特開２００４−２１６０７３号公報
【発明の開示】
【発明が解決しようとする課題】
【０００４】
前記揺動型運動装置において、図６（ｂ）に示すように、座部２の高さを調節する昇降機構４を設けた場合、乗り降りのために、座部２を上昇位置Ｕから下降位置Ｄに下降させると、あぶみ３の輪部３ａが二点鎖線ａのように床面５に当たって（揺動型運動装置の脚部６に当たる場合もある。）、あぶみ３が破損するおそれがある。
【０００５】
本発明は、前記問題を解消するためになされたもので、座部の下降に伴ってあぶみの輪部が床面等に当たっても、あぶみが破損するおそれがない揺動型運動装置を提供することを目的とするものである。
【課題を解決するための手段】
【０００６】
前記課題を解決するために、本発明に係る揺動型運動装置は、使用者が跨って着座可能な座部と、この座部を揺動運動させる運動機構と、前記座部の高さを調節する昇降機構と、前記座部の左右位置の上ヒンジ部材に吊下げ部の上端が前後回動可能に吊下げられ、この吊下げ部の下端に使用者が足先を掛ける輪部を有するあぶみとを備えた揺動型運動装置において、前記吊下げ部の上端と下端との間を１箇所以上で分割するとともに、この分割箇所を前後回動可能に連結したことを特徴とするものである。
【０００７】
吊下げ部をより折れ曲がりやすくするために、前記座部の昇降方向に対して、前記各前後回動の中心を結ぶ方向に傾斜角度を持たせた構成とすることが好ましい。
【０００８】
吊下げ部をより折れ曲がりやすくするために、前記あぶみの輪部の底部に、床面に対して傾斜する傾斜面を形成する構成とすることが好ましい。
【発明の効果】
【０００９】
本発明によれば、吊下げ部の上端が上ヒンジ部材で前後回動可能であるとともに、吊下げ部の分割箇所が前後回動可能であるから、乗り降りのために、座部を上昇位置から下降位置に下降させた時に、あぶみの輪部が床面等に当たっても、２箇所以上の前後回動部分で吊下げ部が折れ曲がりやすいので、あぶみが破損するおそれがなくなる。
【発明を実施するための最良の形態】
【００１０】
以下、本発明を実施するための最良の形態について、図面を参照しながら詳細に説明する。
【００１１】
図１は揺動型運動装置１０の斜視図である。この揺動型運動装置１０は、使用者が跨って着座可能な座部１１と、この座部１１を揺動運動させる運動機構１２と、前記座部１１の高さを調節する昇降機構１３と、前記座部１１の左右位置の上ヒンジピン（上ヒンジ部材）１４に吊下げ部１５ａの上端が前後回動可能に吊下げられ、この吊下げ部１５ａの下端に使用者が足先を掛ける輪部１５ｂを有するあぶみ１５とを備えている。前記座部１１側と運動機構１２側との間の隙間は、伸縮自在な目隠し用カバー２２（図３参照）で覆うことが好ましい。なお、１６は、座部１１の前部に前後揺動可能に設けたハンドルである。
【００１２】
前記運動機構１２は、具体的に図示しないが、内蔵された電動モータ、クランクアーム等によって、座部１１を前後方向、左右方向、上下方向に３次元的に揺動運動させるものである。
【００１３】
前記昇降機構１３は、具体的に図示しないが、内蔵された電動モータ、ラック・ピニオン（若しくはねじ軸）等によって、座部１１を上下方向に昇降させて、座部１１の高さを調節するものである。
【００１４】
図２は着座した使用者から見て左側位置のあぶみ１５の分解斜視図である。前記座部１１の左位置に逆Ｌ字状の取付け金具１７が固定され、この取付け金具１７に前記上ヒンジピン１４が左方に突出して固定されている。
【００１５】
前記あぶみ１５は合成樹脂成型品であり、このあぶみ１５の吊下げ部１５ａは、上吊下げ部１５ｃと下吊下げ部１５ｄとに２分割されて、上吊下げ部１５ｃの上端穴１５ｅを前記上ヒンジピン１４に側方から着脱可能に嵌め込むことにより、上ヒンジピン１４に上吊下げ部１５ｃの上端が前後回動可能に吊下げられることになる。この上吊下げ部１５ｃの下端には、下ヒンジピン（下ヒンジ部材）１５ｆが固定されている。
【００１６】
前記下吊下げ部１５ｄの下端には、前記輪部１５ｂが一体的に設けられるとともに、この下吊下げ部１５ｄには、前記座部１１に対するあぶみ１５の高さ調節用穴１５ｇが上下方向に多段（本例では４段）で形成されている。この調節用穴１５ｇの１つを前記上吊下げ部１５ｃの下ヒンジピン１５ｆに側方から着脱可能に嵌め込むことにより、下ヒンジピン１５ｆに下吊下げ部１５ｄが前後回動可能に吊下げられることになる。
【００１７】
前記のように揺動型運動装置１０を構成すれば、図３（ａ）に示すように、乗り降りのために、座部１１を上昇位置Ｕから下降位置Ｄに下降させた時に、あぶみ１５の輪部１５ｂが床面２０に当たることがある（揺動型運動装置１０の脚部２１に当たる場合もある。以下同様。）。
【００１８】
このような時には、あぶみ１５の上吊下げ部１５ｃが上ヒンジピン１４と上端穴１５ｅとで前後回動可能であるとともに、上吊下げ部１５ｃと下吊下げ部１５ｄとの間の分割箇所が下ヒンジピン１５ｆと調節用穴１５ｇの１つとで前後回動可能であるから、図３（ｂ）のように、あぶみ１５は、２箇所の前後回動部分である上ヒンジピン１４と下ヒンジピン１５ｆとで、上吊下げ部１５ｃと下吊下げ部１５ｄとが前方もしくは後方に折れ曲がりやすいので、あぶみ１５が破損するおそれがなくなる。
【００１９】
前記揺動型運動装置１０の昇降機構１３は、座部１１を斜め上後方に上昇させるとともに、斜め下前方に下降させて、座部１１の高さを調節するものである。このような斜め方向の昇降機構１３を備えた揺動型運動装置１０においては、座部１１の斜めの昇降方向Ｌ１に対して、上ヒンジピン１４と下ヒンジピン１５ｆの中心（前後回動の中心）を結ぶ方向Ｌ２に傾斜角度θ１を持たせるようにしている。なお、あぶみ１５は、自重で真下に垂れ下がることから、前記方向Ｌ２は鉛直方向となり、床面２０に対して直角となる。
【００２０】
このように、座部１１の斜めの昇降方向Ｌ１に対して、上ヒンジピン１４と下ヒンジピン１５ｆの中心を結ぶ方向Ｌ２に傾斜角度θ１を持たせると、あぶみ１５の輪部１５ｂが床面２０に当たった時に、床面２０側からの反力が上ヒンジピン１４と下ヒンジピン１５ｆの中心を結ぶ方向Ｌ２からずれて作用するために、上吊下げ部１５ｃと下吊下げ部１５ｄが上ヒンジピン１４と下ヒンジピン１５ｆとで、より前方に折れ曲がりやすくなる。
【００２１】
図４に示すように、前記揺動型運動装置１０の昇降機構１３は、座部１１を真上に上昇させるとともに、真下に下降させて、座部１１の高さを調節するものであっても良い。このような鉛直方向の昇降機構１３を備えた揺動型運動装置１０においては、座部１１の鉛直の昇降方向Ｌ３に対して、上吊下げ部１５ｃを前方（後方でも可）に傾斜さた位置において運動機構１２側のストッパーピン２２で後回動を規制することで、上ヒンジピン１４と下ヒンジピン１５ｆの中心を結ぶ方向Ｌ２に傾斜角度θ１を持たせるようにしている。なお、下吊下げ部１５ｄは、自重で真下に垂れ下がる。
【００２２】
このように、座部１１の鉛直の昇降方向Ｌ３に対して、上ヒンジピン１４と下ヒンジピン１５ｆの中心（前後回動の中心）を結ぶ方向Ｌ２に傾斜角度θ１を持たせると、あぶみ１５の輪部１５ｂが床面２０に当たった時に、床面２０側からの反力が上ヒンジピン１４と下ヒンジピン１５ｆの中心を結ぶ方向Ｌ２からずれて作用するために、上吊下げ部１５ｃと下吊下げ部１５ｄが上ヒンジピン１４と下ヒンジピン１５ｆとで、より前方に折れ曲がりやすくなる。
【００２３】
前記揺動型運動装置１０の昇降機構１３が座部１１を斜め方向に昇降させるタイプ（図３）、座部１１を鉛直方向に昇降させるタイプ（図４）のいずれのタイプであっても良いが、図５に示すように、前記あぶみ１５の輪部１５ｂの底部に、床面２０に対して前側が低く、後側が高い傾斜角度θ２で傾斜する傾斜面１５ｈを形成することができる。
【００２４】
このように、あぶみ１５の輪部１５ｂの底部に、床面２０に対して傾斜する傾斜面１５ｈを形成することで、あぶみ１５の輪部１５ｂが床面２０に当たった時に、傾斜面１５ｆの低い前側の１点ｂが最初に床面２０に当たるので、この１点ｂを回動支点にして、上吊下げ部１５ｃと下吊下げ部１５ｄが上ヒンジピン１４と下ヒンジピン１５ｆとで、より前方に折れ曲がりやすくなる。なお、前記傾斜面１５ｈは、床面２０に対して後側が低く、前側が高い傾斜角度θ２で傾斜する傾斜面としても良い。
【００２５】
前記実施形態では、あぶみ１５の吊下げ部１５ａの上端と下端との間を１箇所で２分割するとともに、この分割箇所を前後回動可能に連結したものであったが、３分割以上とするとともに、この各分割箇所をヒンジピンでそれぞれ前後回動可能に連結することもできる。
【図面の簡単な説明】
【００２６】
【図１】本発明の実施形態の揺動型運動装置の斜視図である。
【図２】図１のあぶみの分解斜視図である。
【図３】（ａ）は、斜め方向の昇降機構を備えた本発明の実施形態の揺動型運動装置の側面図、（ｂ）は、あぶみの吊下げ部が折れ曲がった状態の側面図である。
【図４】鉛直方向の昇降機構を備えた本発明の実施形態の揺動型運動装置の側面図である。
【図５】傾斜面を形成したあぶみ備えた本発明の実施形態の揺動型運動装置の側面図である。
【図６】従来の揺動型運動装置であり、（ａ）は正面図、（ｂ）は側面図である。
【符号の説明】
【００２７】
１０    揺動型運動装置
１１    座部
１２    運動機構
１３    昇降機構
１４    上ヒンジピン（上ヒンジ部材）
１５    あぶみ
１５ａ  吊下げ部
１５ｂ  輪部
１５ｃ  上吊下げ部
１５ｄ  下吊下げ部
１５ｆ  下ヒンジピン（下ヒンジ部材）
１５ｈ  傾斜面
２０    床面
Ｌ１    斜めの昇降方向
Ｌ２    中心を結ぶ方向
Ｌ３    鉛直の昇降方向
Ｍ      使用者
Ｕ      上昇位置
Ｄ      下降位置
θ１，θ２  傾斜角度
【図１】
2006230531.tif 000003
【図２】
2006230531.tif 000004
【図３】
2006230531.tif 000005
【図４】
2006230531.tif 000006
【図５】
2006230531.tif 000007
【図６】
2006230531.tif 000008